(57)【特許請求の範囲】
【請求項１】
フィルムと、前記フィルムを収納するカートリッジと、前記カートリッジに設けられた記憶部とを備え、前記フィルム上のフィルム長手方向とフィルム幅方向の長さの比が、ほぼ√２対１もしくは１対√２の長方形状の最大撮影画像領域に、カメラにより撮影された画像を記憶し、カメラ毎に設定された前記最大撮影画像領域に関する情報は、前記記憶部に記憶するようにしたことを特徴とする写真フィルム。
【請求項２】
前記最大撮影画像領域に関する情報は、カメラにより撮影されたフィルム上の画像のフィルム長手方向とフィルム幅方向の長さに対応した情報であることを特徴とする請求項１に記載の写真フィルム。
【請求項３】
前記最大撮影画像領域に関する情報は、前記最大撮影画像領域に記憶された画像の中心位置に対応した情報を含むことを特徴とする請求項１に記載の写真フィルム。
【請求項４】
前記最大撮影画像領域に関する情報は、前記最大撮影画像領域に対応して各駒毎に設定可能なトリミング情報を含むことを特徴とする請求項１に記載の写真フィルム。
【請求項５】
前記フィルムは、フィルム幅が約４５ｍｍであって前記最大撮影画像領域の幅方向の長さが約４０ｍｍであることを特徴とする請求項１〜４の何れか１項に記載の写真フィルム。
【発明の詳細な説明】
【０００１】
【発明の属する技術分野】
本発明は、カメラ毎に任意に設定された撮影画像領域を有し、該撮影画像領域その他の情報を書き込むことが可能なカメラに使用される各種情報を記憶保持する記憶部を有する写真フィルムに関する。
【０００２】
【従来の技術】
従来のカメラとフィルムの関係は、フィルム上に撮影される撮影画像領域の基準寸法は例えばＪ１３５フィルムの場合は幅方向は２４ｍｍ、長さ方向には３６ｍｍとほぼ決まっており、その基準寸法の中でカメラにより若干横長のハイビジョン撮影、更に横長のパノラマ撮影或いは基準寸法の半分のハーフサイズ撮影が行われるようになっていた。又例えばＪ１２０フィルムの場合は基準寸法をフィルムの幅方向の６０ｍｍとし、６０×４５ｍｍのセミ判撮影、６０×６０ｍｍの６・６判撮影、６０×９０ｍｍのブローニ判撮影等が行われるようになっていた。従って、基準寸法をベースとしてカメラの画枠寸法は決まっていた。
【０００３】
又、これら各画枠寸法の画面サイズで撮影されたフィルムからプリント写真を作る場合には、それぞれ専用のプリンタによりプリント写真が作られていた。
【０００４】
【発明が解決しようとする課題】
このように、画面サイズの種類に応じたプリンタによりプリントしているので多種多様のプリンタが必要であり、又フィルムの種類に応じて使い分け等もする必要がある。そして、更にＪ１２０フィルム等の大判のフォーマットサイズに応じる為には、通常手焼きが主流になっており、ユーザにとってもＪ１３５フィルムの標準サイズのプリント以外は、プリント写真の返却までの時間がかかり、値段も高くなっている。
【０００５】
しかしながら、フィルム毎に異なるフォーマットの画像が形成されていても、その画像領域に関する情報をフィルム毎に記憶させ、その情報をプリント処理機で利用することによりフォーマットサイズの自動判別が可能となり、プリンタの自動化、更にはプリント処理の簡易化が図れ、前記問題の解決が可能となる。
【０００６】
本発明は、前記課題を解決するための写真フィルムを提供することを目的としたものである。
【０００７】
【課題を解決するための手段】
本発明の目的は、下記構成を採ることによって達成される。
【０００８】
即ち、フィルムと、前記フィルムを収納するカートリッジと、前記カートリッジに設けられた記憶部とを備え、前記フィルム上のフィルム長手方向とフィルム幅方向の長さの比が、ほぼ√２対１もしくは１対√２の長方形状の最大撮影画像領域に、カメラにより撮影された画像を記憶し、カメラ毎に設定された前記最大撮影画像領域に関する情報は、前記記憶部に記憶するようにしたことを特徴とする写真フィルム。
【０００９】
【発明の実施の形態】
次に、本発明の実施の形態を添付した図面、図１〜図８により説明する。但し、本発明は説明する本実施の形態に限定されるものではない。
【００１０】
図１，２は、本実施の形態の写真フィルムを説明する図である。そして図１は、カメラに装填される本実施の形態の写真フィルムの一例を示す斜視図である。図２は、カメラ毎に任意に設定された最大撮影画像領域を有するカメラにより、本実施の形態の写真フィルム上に撮影し形成される最大撮影画像領域を説明する図で、（ａ）は或るカメラによりフィルムに形成される最大撮影画像領域がＸ１×Ｗ１、（ｂ）は別の或るカメラによりフィルムに形成される最大撮影画像領域がＸ２×Ｗ１、（ｃ）は又別の或るカメラによりフィルムに形成される最大撮影画像領域がＸ３×Ｗ２、（ｄ）は又別の或るカメラによりフィルムに形成される最大撮影画像領域がＸ２×Ｗ３、（ｅ）は更に別の或るカメラによりフィルムに形成される最大撮影画像領域がＸ４×Ｗ３であることを示している。
【００１１】
尚、写真フィルムを図１により更に説明すると、１は本実施の形態の写真フィルムで、カートリッジＣにはその表面に撮影情報その他の各種情報を記憶する書き換え可能な不揮発性メモリで構成されたＩＣメモリ等による記憶部Ｍ、及び該記憶部Ｍへ電力の供給及び各種情報信号の授受を行うための各種端子、即ち電源端子Ｃ１、入力端子Ｃ２、出力端子Ｃ３、アース端子Ｃ４が図示のように設けてあり、フィルムはこのカートリッジＣの中にスリットＣＳを介して出入り可能、且つ遮光して巻き込まれている。又、記憶部ＭはカートリッジＣの取り付け可能な場所であればどこであってもよく、又記憶部Ｍと接続する前記各端子Ｃ１，Ｃ２，Ｃ３，Ｃ４もカートリッジＣのカメラ側と接続可能な場所であればどこに設けてもよい。
【００１２】
図８に写真フィルムの他の実施の形態を示す。図８の（ａ）〜（ｌ）は写真フィルムの記憶部及び各端子の設けてある位置、形状の各種の実施の形態を説明する図で、そえ字１は側面図であり、そえ字２は正面図（一部断面図）である。（ａ）〜（ｇ）は正面側に記憶部及び各端子を設けた実施の形態を示しており、（ｈ）〜（ｊ）は側面側に記憶部及び各端子を設け、カートリッジに凹部を設けて記憶部を出っ張らないように構成した実施の形態を示しており、（ｋ），（ｌ）は正面側と側面側にまたがって記憶部及び各端子を設けた実施の形態を示している。
【００１３】
図１，２において、本実施の形態の写真フィルム１にはカメラ毎に任意に設定される最大撮影画像領域に関する情報が、写真フィルム１のカートリッジＣに設けた前述の記憶部Ｍに記憶されるようになっている。
【００１４】
即ち、本実施の形態においては、図２の（ａ）に示すように最大撮影画像領域がフィルムＦの長手方向がＸ１、幅方向がＷ１であるＸ１×Ｗ１である情報、（ｂ）に示すように最大撮影画像領域がフィルムＦの長手方向がＸ１の１／２であるＸ２、幅方向がＷ１であるＸ２×Ｗ１である情報、（ｃ）に示すように最大撮影画像領域がフィルムＦの長手方向がＸ３で、幅方向がＷ２のＸ３×Ｗ２である情報、（ｄ）に示すように最大撮影画像領域がフィルムＦの長手方向がＸ２で、幅方向がＷ１の１／２であるＷ３のＸ２×Ｗ３である情報、（ｅ）に示すように最大撮影画像領域がフィルムＦの長手方向がＸ２の１／２であるＸ４、幅方向がＷ３のＸ４×Ｗ３である情報等が、フィルムＦに形成される撮影画像以外の情報として記憶保持する前述の記憶部Ｍに記憶されるようになっている。
【００１５】
写真フィルム１に書き込まれる情報に関しては更に後述する。
【００１６】
尚、（ｄ），（ｅ）は上下の各画面の中心に光軸を合わせた２個のレンズを有するカメラにより撮影が行われる。
【００１７】
又、前記最大撮影画像領域に関する情報は、フィルム上の画像のフィルム長手方向とフィルム幅方向の長さに加えて画像の中心位置に対応した情報、例えば中心位置座標の情報を写真フィルムの記憶部に記憶するようにしてもよい。即ち、図２の各最大撮影画像領域の中心：ＯＡ，ＯＢ，ＯＣ，ＯＤ１，ＯＤ２，ＯＥ１，ＯＥ２を中心位置座標の情報として更に記憶するようにしてもよい。このように、最大撮影画像領域のフィルム長手方向とフィルム幅方向の長さ及び画像の中心位置に対応した情報を記憶することにより、画像を幅方向にずらした画像領域でも、（ｄ），（ｅ）のように幅方向に二つ並んだ画像領域でもその画像位置を特定可能である。
【００１８】
又、本実施の形態の写真フィルムは、フィルム長手方向とフィルム幅方向の長さの比が、ほぼ√２対１、もしくは１対√２の長方形の最大撮影画像領域で撮影することを考慮して、フィルム幅方向長さとフィルム長手方向に形成されているパーフォレーションの間隔が決定されている。
【００１９】
この長方形の短辺と長辺の比はその領域を２分割或いは４分割のように分割しても、分割された領域の短辺と長辺の比率は不変であるという特徴を有している。従って、図４に示すように短辺と長辺の比が１対√２のペーパにプリントした場合には、どのような撮影画像サイズでもペーパの無駄及び画面のケラレ等がなくなるといった効果を有し、１枚のペーパに複数駒プリントする場合にも無駄のない効率的なレイアウトが出来る。
【００２０】
又、本実施の形態の写真フィルムは、フィルム幅が約４５ｍｍであって、図５に示す如くフィルムの一方向端部にのみパーフォレーションを設けた、いわゆる片パーフォフィルムとなっている。このようにすることによって、４５ｍｍのフィルム幅の中で最大撮影画像領域のフィルム幅方向の長さとして４０ｍｍという広い領域を得ることが出来ている。そして、この４０ｍｍというフィルム幅方向の画像領域を基準として、前述の１対√２の比率で最大撮影画像領域を設定すると、
（イ）の場合として、フィルム幅方向（Ｗ）：フィルム長さ方向（Ｘ２）＝Ｗ：Ｘ２＝√２：１＝４０：２８、即ちＷ×Ｘ２＝４０ｍｍ×２８ｍｍの最大撮影画像領域が、
（ロ）の場合として、フィルム幅方向（Ｗ）：フィルム長さ方向（Ｘ１）＝Ｗ：Ｘ１＝１：√２＝４０：５６、即ちＷ×Ｘ１＝４０ｍｍ×５６ｍｍの最大撮影画像領域を得ることが出来る。
【００２１】
尚、（イ）の場合のフィルム長さ方向（Ｘ２）を２８ｍｍとしているが、実用上は隣接した撮影画像の重なりを防止するべく、駒と駒との間に隙間を設ける為、２８ｍｍよりは若干小さい値（例えば２７ｍｍ）とすることが望ましい。
【００２２】
一方、既存のフィルムとしてＪ１３５フィルムと、それより大型のＪ１２０フィルムという異なる種類のフィルムがあり、Ｊ１３５フィルムの画像領域は通常３６ｍｍ×２４ｍｍであり、又Ｊ１２０フィルムのセミ判と呼ばれる画像領域は、公称値６０ｍｍ×４５ｍｍである。
【００２３】
そして画像サイズは小さくても、フィルム駒数を多く使いたいか、フィルム駒数は少なくても、高画質の写真を得たいかによってユーザはこの２種類のフィルムを使い分けている。
【００２４】
本実施の形態のフィルムによれば、１種類のフィルムであるにもかかわらず、前述の（イ）の場合はＪ１３５フィルムの画像領域より大きく、又（ロ）の場合はＪ１２０フィルムのセミ判とほぼ同等の画像領域を得ることが出来、フィルムの種類を使い分けることもなく、駒数優先でも、高画質優先でもユーザの要望を満たすことが出来るという大きな特徴を有している。
【００２５】
又、写真フィルムのフィルム幅をＷ、想定されている最も大きな最大撮影画像領域のフィルム幅方向の長さをＷｍａｘ、フィルム長手方向の長さをＸｍａｘ、前記最も大きな最大撮影画像領域が写真フィルム上で連続して２駒あるときの２つの駒間の長さをＳ、フィルムの長手方向に形成されるパーフォレーションのピッチをＬとしたとき、ＷｍａｘとＸｍａｘとの比はほぼ１：√２であり、
Ｌ＝（Ｘｍａｘ＋Ｓ）／２
Ｗ＞Ｗｍａｘ
とする。
【００２６】
具体的には、例えばＷ＝４５ｍｍ，Ｗｍａｘ＝４０ｍｍ，Ｘｍａｘ＝５６ｍｍ，Ｓ＝２ｍｍ，Ｌ＝２９ｍｍとする。
【００２７】
このようにすれば、先に述べた４０×２８の最大撮影画像領域に対応するときは、フィルム１駒送りをパーフォレーション１ピッチ分送るようにし、６０×４０の最大撮影画像領域に対応するときは、パーフォレーション２ピッチ分送るようにするというようにカメラでフィルム送りの制御を簡単に行うことが出来る。
【００２８】
ここで、図６〜８と表１により本実施の形態の写真フィルムを装填するカメラについて若干説明する。
【００２９】
図６は、本実施の形態の写真フィルムを装填するカメラのブロック回路図である。図７は、カメラのトリミングズームの説明図で、（ａ）は最大撮影画像領域内の点線内をトリミング範囲とした場合の図、（ｂ）はファインダ内で確認できる範囲であり、即ちプリントされた時のトリミング範囲を示している図である。そして表１は、本実施の形態の写真フィルムのカートリッジが有する記憶部への入出力データのデータ名とデータ構造の表である。
【００３０】
【表１】
0003632140.tif 000002
【００３１】
図６〜８及び表１において、ＣＰＵの左側４本の端子部は、上から順に電源端子部、入力端子部ＩＸ、出力端子部ＯＸ、アース端子部であり、前述の写真フィルム１がカメラに装填された時に、写真フィルム１のカートリッジＣの電源端子Ｃ１、入力端子Ｃ２、出力端子Ｃ３、アース端子Ｃ４とが、それぞれ相手側のカメラの端子部と接触導通するようになっている。そして、カートリッジＣの記憶部Ｍへカメラから電力の供給と情報の供給を受けることが出来るようになっている。
【００３２】
次に、表１に基づいて更に説明する。
【００３３】
（１）最大撮影画像領域に関する情報である最大撮影画像データは、ＣＰＵ内のＲＯＭに予め記憶されている。従って、カメラに写真フィルム１が装填されるとそのカメラの最大撮影画像領域の横寸法と縦寸法が、最大撮影画像データとしてカメラ側から写真フィルム１の記憶部Ｍに入力される。例えば、図２の（ａ）〜（ｃ）においては、（ａ）ではＸ１，Ｗ１のデータ、（ｂ）ではＸ２，Ｗ１のデータ、（ｃ）ではＸ３，Ｗ２のデータが最大撮影画像データとして写真フィルム１の記憶部Ｍに送られる。又（ｄ）においてはＸ２，Ｗ３のデータの他に上下それぞれの画像の中心位置を示すＯＤ１，ＯＤ２の座標データが送られる。（ｅ）においても同様にＸ４，Ｗ３，ＯＥ１，ＯＥ２のデータが送られる。
【００３４】
これらのデータは、プリント処理時にプリント処理機によって読み出され、当該フィルムに形成されたフォーマットサイズや位置の自動判別に使用される。このように、１種類のフィルムにカメラ毎に各種フォーマットサイズの画像が形成されていてもフィルム毎の撮影画像領域が特定できるので、その画像領域に対応したプリント処理の自動化の実現が可能となり、更にはプリント処理の簡易化を図ることが出来る。
【００３５】
又、最大撮影画像データとして写真フィルムに送られるのがフィルム長手方向の長さのデータだけであっても、例えばスキャナーで画像を読み取る場合など、その情報がスキャン量を決めるデータとして利用できるので有効である。
【００３６】
又、最大撮影画像領域の縦横比が所定の比率（例えば１：√２）の長方形で、長辺が写真フィルム１と平行となる場合は、フィルム長手方向の長さのデータだけであっても、フィルム毎の撮影画像領域が特定できるので、このような場合はフィルム長手方向の長さのデータのみを最大撮影画像データとしても良い。
【００３７】
尚、最大撮影画像領域の情報は、領域の縦横の長さを示す数値に限らず、画像領域の対角線の長さとその対角線がフィルム長手方向基準線と為す角度の組み合わせであったり、数値に代わる記号などで表して記憶しても良い。
【００３８】
（２）フィルムコマナンバは、写真フィルム１に記憶される各種情報がどのコマに対応した情報なのかを示すために送られる。
【００３９】
（３）トリミングデータは、ユーザがカメラのファインダ（ズームファインダ）を覗き、スイッチＳＺを操作してファインダを動かし望遠〜広角を決める。そして撮影することにより、ファインダの倍率情報が倍率１．０，２．０の様にトリミングデータとしてカメラ側から写真フィルム１の記憶部Ｍに入力される。このようにして、例えば図７（ａ）の点線で示すトリミング範囲がプリント写真となったときには、（ｂ）で示すようなプリント写真とすることが出来る。
【００４０】
又、図７ではトリミング範囲の中心が撮影された画像領域の中心と一致していた場合を示したが、必ずしも一致させなくても良い。図３は、中心が異なる場合のトリミング状態を説明する図で、（ａ）は最大撮影画像領域に対しトリミング範囲を▲１▼のような領域にした場合の図、（ｂ）は最大撮影画像領域に対しトリミング範囲を▲２▼のような領域にした場合の図である。このような場合にはトリミングデータとして最大撮影画像に対する倍率情報とトリミング範囲の中心位置情報を写真フィルムの記憶部に記憶させれば良い。
【００４１】
更には、トリミング範囲の縦、横寸法が最大撮影画像に対して倍率関係にない異形状の場合には倍率情報の代わりにトリミング範囲の縦、横寸法の情報を前述の中心位置情報と共にトリミングデータとして記憶させても良い。又、トリミング範囲の中心位置情報としては、中心位置を示す座標データでも良いし、最大撮影画像領域の中心位置からのズレ量を示す偏差情報でも良い。
【００４２】
このようにすることによって、最大撮影画像領域内の任意の画像領域のトリミングが可能となり、フレーミングの自由度が大幅に増大する効果をもたらすことが出来る。
【００４３】
（４）プリントフォーマットデータは、ユーザがカメラのファインダを覗いて標準サイズ（Ｃ）の写真にするか、パノラマサイズ（Ｐ）の写真にするか、ハイビジョンサイズ（Ｈ）の写真にするか等によりスイッチＳＰを操作して撮影することにより、カメラ側から写真フィルム１の記憶部Ｍに入力される。
【００４４】
（５）デートデータは、年、月、日、時、分、及び年、月、日、時、分、の配列をユーザが選ぶことにより撮影時の時刻がデートモジュールＥ２よりＣＰＵを介してカメラ側から写真フィルム１の記憶部Ｍに入力される。
【００４５】
（６）コメントデータは、ユーザが文字を選ぶことにより撮影時にコメントモジュールＥ３よりＣＰＵを介してカメラ側から写真フィルム１の記憶部Ｍに入力される。
【００４６】
（７）プリント条件データは、例えばストロボ使用の有無がストロボ回路Ｅ４より、又例えば露出のアンダかオーバか或いは逆光撮影か等が測光回路Ｅ５からの情報をもとにＣＰＵより撮影時に、カメラ側から写真フィルム１の記憶部Ｍに入力される。
【００４７】
（８）撮影姿勢データは、ユーザによるカメラの撮影姿勢が撮影時に自動的に撮影姿勢センサを有する撮影姿勢センサ回路Ｅ１よりＣＰＵを介してカメラ側から写真フィルム１の記憶部Ｍに入力される。
【００４８】
この撮影姿勢センサは、例えば中空ガラス等の管の中に水銀を入れ、導線を両側から水銀に接触可能に中側に少し出して両端を密閉したものである。従って、センサが水平状態では両側の導線は水銀により導通可能となり、センサが垂直状態では導線間は導通が断たれることになる。
【００４９】
このように本カメラは、カメラの縦位置及び横位置を検出する撮影姿勢検出手段を備え、該撮影姿勢検出手段により検出された情報を前記記憶部Ｍに書き込むようになっている。この情報を活用することにより、プリント時にデートデータをプリント画像内に印字する際、縦位置撮影、横位置撮影の写真に応じてデートデータの印字場所及び上下方向を自動で決定することが出来る。
【００５０】
このように、カメラ側から写真フィルム１の記憶部Ｍに各種の情報が記録されるようになっており、これらの情報はプリントする際にユーザの要望に応じたプリント写真を得るために、又プリント処理を効率的にするために利用されることになる。
【００５１】
尚本実施の形態の写真フィルムにおいては、（１）〜（８）までのデータを記憶部へ入力できるようにしているが、（１）の最大撮影画像データ及び（３）のトリミングデータ以外のデータは、必ずしも入力する必要はなく、写真システムとしての要求に応じて入力するか、入力しないかを選択すれば良い。
【００５２】
【発明の効果】
本発明によれば、１種類のフィルムにカメラ毎に各種フォーマットサイズの画像が形成されていても、フィルムに記憶された画像領域の情報により撮影画像領域が特定できるので、銀塩画像や電子画像プリンタ等の処理機の自動化が容易に実現出来、安価で迅速なプリントサービスを可能とすることが出来ることになった。
【００５３】
又、カメラ側から写真フィルムの記憶部に各種の情報が記録されるようになっているので、これらの情報を使ってプリントする際に、特に電子画像プリンタによるユーザの要望に応じた各種サイズ混在を含めた多様なプリント写真を得ることが容易に可能となった。
【００５４】
このようにして、ユーザの多様な要望を満足する写真を撮るための写真フィルムが提供されることとなった。
【図面の簡単な説明】
【図１】本実施の形態の写真フィルムの斜視図である。
【図２】本実施の形態の写真フィルムに形成される最大撮影画像領域を説明する図である。
【図３】中心が異なる場合のトリミング状態を説明する図である。
【図４】短辺と長辺の比が１対√２のペーパにプリントした場合の図である。
【図５】最大撮影画像領域とパーフォレーションの関係を説明する図である。
【図６】本実施の形態の写真フィルムを使用するカメラのブロック回路図である。
【図７】本実施の形態の写真フィルムを使用するカメラのファインダトリミングの説明図である。
【図８】他の写真フィルムの実施の形態を示す図である。
【符号の説明】
１  写真フィルム
Ｃ  カートリッジ
Ｃ１  電源端子
Ｃ２  入力端子
Ｃ３  出力端子
Ｃ４  アース端子
Ｅ１  撮影姿勢センサ回路
Ｅ２  デートモジュール
Ｅ３  コメントモジュール
Ｅ４  ストロボ回路
Ｅ５  測光回路
Ｆ  フィルム
Ｌ  パーフォレーションピッチ
Ｍ  記憶部
Ｗ，Ｗ１，Ｗ２．Ｗ３  最大撮影画像領域のフィルム幅方向長さ
Ｘ，Ｘ１，Ｘ２，Ｘ３，Ｘ４  最大撮影画像領域のフィルム長手方向長さ
【図１】
0003632140.tif 000003
【図２】
0003632140.tif 000004
【図３】
0003632140.tif 000005
【図４】
0003632140.tif 000006
【図５】
0003632140.tif 000007
【図６】
0003632140.tif 000008
【図７】
0003632140.tif 000009
【図８】
0003632140.tif 000010